(57)【要約】【課題】簡単に操作することができ、また、吐水部の正面全体からシャワー水を万遍なく噴出させることのできるシャワー装置を提供する。【解決手段】正面全体に多数の噴出孔４ａ，４ａが形成されてなる吐水部４を備えたシャワー装置において、吐水部４の正面を押圧操作することにより、組み込まれたスラストロック機構２５を介して噴出孔４ａからのシャワー水の吐水と止水を切り替えることができ、操作が容易であり、また、押圧する操作に対応して吐水部４に設けたＬＥＤランプ１７，１８が点灯するように構成する。【選択図】図１１
2009066166.tif 000002
【特許請求の範囲】
【請求項１】
正面全体に多数の噴出孔が形成されてなる吐水部を備えたシャワー装置において、
前記吐水部の正面を押圧する操作により前記噴出孔からのシャワー水の吐水と止水を切り替えできる機構を組み込んで構成したことを特徴とするシャワー装置。
【請求項２】
前記押圧する操作に対応して、光や音が出るように構成したことを特徴とする請求項１に記載のシャワー装置。
【発明の詳細な説明】
【技術分野】
【０００１】
本発明は、操作が極めて容易で、子供でも楽しみながら使用することのできるシャワー装置に関するものである。
【背景技術】
【０００２】
従来、特許文献１に開示されているように、貯湯タンクから蛇口を突出させ、この蛇口の先端にじょうろを設け、じょうろの中央部から突出した弁体を設けて構成し、弁体を押すと、じょうろからシャワーが出るように構成した簡易シャワーが存在する。
【特許文献１】実開昭５２−５７９３７号公報
【発明の開示】
【発明が解決しようとする課題】
【０００３】
上記従来の簡易シャワーでは、蛇口が突出し、その先端にじょうろが設けられ、さらにじょうろから突出して弁体が設けられているため、突出した弁体が引っ掛かりやすく、子供等が使用する際に弁体が邪魔になり、見栄え性も悪いという問題点があった。
また、じょうろの弁体の部分にはシャワーの噴出口を設けることができないため、この部分からはシャワー水が噴出されることはなく、じょうろからドーナツ状にシャワー水が噴出されて、万遍なくシャワー水を浴びることができないという問題点があった。
【課題を解決するための手段】
【０００４】
本発明は、簡単に操作することができ、また正面全体からシャワー水を噴出させることのできるシャワー装置を提供することを目的の１つとし、その目的の少なくとも一部を達成するために以下の手段をとった。
本発明は、正面全体に多数の噴出孔が形成されてなる吐水部を備えたシャワー装置において、前記吐水部の正面を押圧する操作により前記噴出孔からのシャワー水の吐水と止水を切り替えできる機構を組み込んで構成したことを要旨とする。
【発明の効果】
【０００５】
本発明のシャワー装置では、吐水部の正面を押圧する操作で、吐水部の噴出孔からのシャワー水の吐水と止水を押圧操作する度に切り替えることができ、操作に不慣れな子供や老人であっても簡単に操作してシャワー水を噴出させたり止めたりすることができる。
また、正面全体からシャワー水が噴出されるため、中央部が中抜けすることなく、万遍なくシャワー水を浴びることができるものとなる。
【０００６】
また、本発明のシャワー装置において、押圧する操作に対応して光や音が出るように構成することもできる。
こうすれば、押圧操作する度に音や光で自分の操作をフィードバックすることができ、操作したことが解りやすく、操作に不慣れな子供や老人でも簡単に楽しみながらシャワー装置を使用できるものとなる。
【発明を実施するための最良の形態】
【０００７】
次に、本発明を実施するための最良の形態を実施例を用いて説明する。
図１は、シャワー装置の正面概略構成図であり、図２は、シャワー装置の側面概略構成図である。
【０００８】
本例のシャワー装置１は、中央部の円形状の操作部２の上方に、円形状の上吐水部３が配置され、操作部２の下方には、円形状の下吐水部４が配置されている。
上吐水部３の裏側には回転軸５が設けられており、この回転軸５を中心として上方向に回動できる上アーム６が連結され、上アーム６の先端には上方吐水部７が連結されている。また、下吐水部４の裏側には回転軸８が配置されており、回転軸８には下方向に回動可能に下アーム９が連結され、下アーム９の先端に下方吐水部１０が設けられている。
【０００９】
各吐水部３，４，７，１０は、その正面全域にシャワー水を噴出できる多数の噴出孔が形成されており、それぞれの吐水部３，４，７，１０からシャワー水を噴出させることができるものである。
なお、このシャワー装置１の本体部１１は、壁に設置されるか或いは床から上下方向に立ち上がるレール１３に沿って移動させて高さ調整できるように取り付けられており、本体部１１の前面側には水室部１２が配置され、この水室部１２の前面側に操作部２および４個の吐水部３，４，７，１０が、図１では４枚の花びら状に配置されている。
【００１０】
このような構成のシャワー装置１において、上アーム６を介して上方吐水部７を上方へ回転させ、また下アーム９を介して下方吐水部１０を下方へ回転させることで、図３の正面図で示すように、吐水部３，４，７，１０を縦一列に配置することもでき、図４には、縦一列に配置した状態の側面構成図を示す。
【００１１】
図３のように縦方向に４個の吐水部３，４，７，１０を一列に配置した状態では、上下方向に広い範囲でシャワー水を各吐水部から噴出させることができ、浴室内で立った状態でも、つま先から頭部まで全身に亘ってシャワー水を浴びることができるものとなる。
なお、図１のように花びら状に４個の吐水部３，４，７，１０を配置した状態では、横方向にも広げてシャワー水を噴出させることができ、例えば上半身のみに集中してシャワー水を噴出させることができる。
【００１２】
このように好みに応じて、上アーム６或いは下アーム９を介して上方吐水部７或いは下方吐水部１０の上下位置を変化させて、広い範囲でシャワー水を噴出させることができるものである。
なお、シャワー装置１は、例えば壁面に固定されたレール１３に沿って上下高さを適宜調整することができ、本体部１１に図示しないクランプなどを設けておけば、レール１３に対し高さ位置を適宜固定できるものである。
【００１３】
このように高さ位置を調整できるため、子供の身長が伸びるに従って、身長に合わせてシャワー装置１の高さを調整して、長期間に亘り子供の成長に合わせて使用することができ、全身にシャワー水を浴びることができるものである。
【００１４】
なお、さらに吐水部３，４，７，１０は、例えば図５に拡大側面図で示すようなボールジョイント機構を設けて首振りできるように構成し、吐水部３，４，７，１０のそれぞれの正面の角度を自由に変えることができるように構成することもできる。
例えば、上方吐水部７を例にとって図５で説明すると、上方吐水部７の裏側に連続して水平に延びる水路軸７ａの一部にボールジョイント１４を設けて構成する。
このボールジョイント１４は、受け部１４ａと、この受け部１４ａ内に上下左右方向に回動可能に嵌め込まれたボール部１４ｂで構成されており、水路軸７ａの外周に、受け部１４ａの先端に当接するストッパー１５が設けられて、このストッパー１５で角度調整範囲が規制されるように構成したものである。
【００１５】
なお、ボールジョイント機構１４に代えてユニバーサルジョイントを用いて首振りできるように構成しておくこともでき、このように各吐水部３，４，７，１０をそれぞれ首振り角度を調整可能な構造にしておけば、シャワー水の噴出する方向および範囲を適宜吐水部３，４，７，１０の角度を調整して可変することができ、自由な方向にシャワー水を噴出させて、座った状態でも立った状態でも良好にシャワー水を浴びることができるものとなり、シャワー水の噴出範囲を広げたり縮めたりすることが可能となる。
【００１６】
なお、上吐水部３の上端部位には、手を入れることのできる開口３ａが形成されており、開口３ａの上部は手で握ることのできる取っ手３ｂとなっており、この取っ手３ｂを持って、上吐水部３はシャワー装置１から単独で上方へ取り外して、通常のハンドシャワーとして使用することができるように構成しても良い。
即ち、図６の正面図で、図７の斜視図で、図８の縦断面概略構成図で示すような構造にシャワー装置１を構成して、上吐水部３を単独で取り外しできるような構造とすることができる。
【００１７】
図６，図７，図８に示すように、水室部１２の上端から上下に水室部１２内を貫通する差込孔１２ａを設けておき、この差込孔１２ａの上端に上吐水部３を着脱可能に差し込んで取り付けできるように構成したものである。
上吐水部３の裏側に水平に延びる水路軸３ｃから、垂下状に水路を形成する差込筒部３ｄを一体形成させておき、差込筒部３ｄの下端に連結部３ｅを設けて、連結部３ｅにホース１６を接続したものであり、ホース１６は差込孔１２ａ内を通して水室部１２内にすっきりとした状態で収納させておくことができる。
手で持って使用する際には、上吐水部３の取っ手３ｂを手で持って上吐水部３を差込孔１２ａから引き上げ、上吐水部３を通常のハンドシャワーとして浴室内の適宜位置で良好に使用することができるものである。なお、差込筒部３ｄを手で持ってハンドシャワーとして使用することも可能である。
【００１８】
なお、図６，図７の上吐水部３においては、左右両側に縦状の開口３ａをそれぞれ形成させて、その外側に取っ手３ｂ，３ｂを形成させたものであり、左右側の取っ手３ｂ，３ｂを両手で持ってシャワー水を噴出させることができるため、子供でも上吐水部３の重さやシャワーの噴出時の反力によってバランスを崩すことがなく、安全に使用することができるものである。
なお、シャワーホース１６は水室部１２内に収納されるため、ホース１６が浴室の床に垂れ下がることがなく、子供が垂れ下がったホースでつまずくようなこともなくなる。
【００１９】
なお、図６，図７，図８において、中央部の操作部２には、シャワー水の温度調整用の温度調節ハンドル２ａと、切替ハンドル２ｂがそれぞれ設けられており、切替ハンドル２ｂで、例えば各吐水部３，４，７，１０から噴出されるシャワーとミストの切り替えができるようにしたものである。
【００２０】
なお、上吐水部３の取っ手３ｂの形状は、図１に示す形状或いは図６に示す形状の他、図９および図１０の正面概略図で示すような形状に形成しておくことができ、図９では、開口３ａを、下端側のみが連通しない円形状に開口させ、その外側に取っ手３ｂを円形状に形成したものである。
また図１０では、上端側のみが連通しない円形状の開口３ａとして、その外側に円形状に取っ手３ｂを形成したものである。
図９および図１０のような広い円形状の取っ手３ｂでは、あらゆる位置から取っ手３ｂを握って使用することができるものとなる。
【００２１】
なお、吐水部４，７，１０はプッシュ式でＯＮ，ＯＦＦできる構造とすることもでき、例えば図１１には下吐水部４をプッシュ式に構成した場合を例示する。
下吐水部４は、その裏側に延びる水路軸４ｂが、水室部１２にシールパッキン２０，２０を介して前後方向にスライド可能かつ回転可能に挿着されている。
水室部１２内の水室Ｒには、温度調節された温水が流入されるものであり、水室Ｒ内には、図示右端側が開放された縦断面コの字状の遮蔽枠部２１が固設されており、この遮蔽枠部２１内に水路軸４ｂが水平に通されており、遮蔽枠部２１の開放側の水路軸４ｂには、外周に弁体２２が形成されており、弁体２２にはゴムパッキン２３が設けられている。また、弁体２２のゴムパッキン２３と反対側にはバネ２４が当接されており、バネ２４の付勢力で弁体２２は図示左側、即ち遮蔽枠部２１の開口側を閉ざすように常には付勢されている。
【００２２】
図１１は、遮蔽枠部２１と弁体２２が離れて、ゴムパッキン２３と遮蔽枠部２１の開口側に隙間が形成された吐水時を示しており、水室Ｒ内の温水は遮蔽枠部２１内に入り込んで水路軸４ｂを通り吐水部４内に流入して、吐水部４の前面に多数形成されている噴出孔４ａから前面側に向かって噴出されるものである。
なお、本例では、吐水部４の側面外周に、多数のＬＥＤランプで構成した外周ＬＥＤランプ１７が設けられており、また、吐水部４の前面外周側にも前面ＬＥＤランプ１８が設けられている。
【００２３】
この前面ＬＥＤランプ１８および外周ＬＥＤランプ１７は、吐水時に点灯されて、吐水部４の外周側から光が発せられるように構成したものであり、このＬＥＤランプ１７，１８を点灯させるために、水路軸４ｂの外周にセンサ１９が設けられており、センサ１９が水室部１２に近接した状態で吐水状態となり、ＬＥＤランプ１７，１８が点灯されるものである。
なお、ＬＥＤランプ１７，１８の点灯に代えて、或いは点灯と同時に、子供が好む音が発せられるように構成することもできる。
【００２４】
なお、図１２は、止水時を示すものであり、止水状態では、バネ２４の付勢力で弁体２２は図示左側へ移動し、弁体２２のゴムパッキン２３が遮蔽枠部２１に当接し、遮蔽枠部２１を閉ざすものであり、この状態では水路軸４ｂ内に温水は流入されることがない。また、センサ１９は水室部１２から離れた状態となり、ＬＥＤランプ１７，１８も消灯され、また音も消音状態となる。
このような図１１の吐水状態と、図１２の止水状態を切り替えるために、水路軸４ｂにスラストロック機構２５を組み付けておくことができる。
【００２５】
スラストロック機構の分解図は、図１３に示す。
即ち、水路軸４ｂの外周側には、水路軸４ｂの外周に沿って所定間隔で設けられた複数の挿入片２７，２７，２７を有する回転リング部２６が設けられ、横方向に延びる各挿入片２７の左端側には傾斜状の係合歯２７ａが形成されている。
一方、遮蔽枠部２１等に固定状に設けられるガイド部２８は円筒状に形成されて、外周に沿って所定間隔で、横に長い長溝２９と、横に短い短溝３０が交互に形成されており、長溝２９および短溝３０の右端側には、傾斜状に係合歯３１，３１が形成されている。
【００２６】
このような複数の挿入片２７を有する回転リング部２６とガイド部２８でスラストロック機構２５が構成されており、ガイド部２８内に水路軸４ｂを挿入させて、図１４に示すように、ガイド部２８の短溝３０内に挿入片２７が挿入された状態では、図１１のように遮蔽枠部２１と弁体２２間に隙間が形成されて吐水状態となり、一方、図１５のように、ガイド部２８の長溝２９内に挿入片２７が挿入された状態では、図１２のように遮蔽枠部２１に弁体２２のゴムパッキン２３が当接した状態となり、止水状態となる。
【００２７】
即ち、スラストロック機構２５を用いれば、止水状態から、吐水部４の前面を手で水室部１２側へ一度押すと、挿入片２７がガイド部２８の長溝２９から外れて、係合歯２７ａがガイド部２８の係合歯３１に当接し、バネ２４の付勢力が加わることで、係合歯２７ａと係合歯３１の係合によるカム面の作用で、水平軸４ｂ側が回転力を受け、水平軸４ｂが微小角度回転し、隣の短溝３０に挿入片２７がバネ２４の付勢力で挿入されることとなり、吐水状態となる。
このように、吐水部４を水室部１２側へ押す度に、挿入片２７の長溝２９への挿入状態と、挿入片２７の短溝３０への挿入状態が繰り返されることとなり、吐水部４を押す度に、吐水状態から止水状態に、更に吐水状態に切り替えることができ、子供でも極めて容易に手で吐水部４を押して、吐水と止水を容易に切り替えることができ、使用が極めて容易なものとなる。
【００２８】
なお、下吐水部４におけるスラストロック機構を例示しているが、上方吐水部７および下方吐水部１０では、上アーム６と下アーム９内に温水が流されるものであるため、この上アーム６と下アーム９内にそれぞれスラストロック機構２５を組み込んでおけば、上方吐水部７および下方吐水部１０においても、その前面を一度押す度に、止水状態と吐水状態を切り替えできる構造とすることができる。
【００２９】
このように止水と吐水の切り替え操作が極めて容易なものとなり、操作に不慣れな子供や老人でも簡単に楽しみながらシャワー浴びることができるものとなる。
また、各吐水部３，４，７，１０は中央部まで噴出孔が全面に形成されているため、中央部からもシャワー水が噴出されて、万遍なくシャワー水を浴びることができるものである。また、各吐水部３，４，７，１０は、その正面に前方側へ突出する突起物は存在しないために、極めて安全に使用することができ、掃除も容易なものとなる。
しかも、吐水部にＬＥＤランプ１７，１８や音を発生させる発生装置を組み込んでおけば、吐水部の押圧操作に応じて音や光が出るために、吐水部を押圧操作したことが解りやすく、操作に不慣れな子供や老人でも楽しみながらシャワー水を浴びることができるものとなる。
【図面の簡単な説明】
【００３０】
【図１】シャワー装置の正面概略構成図である。
【図２】シャワー装置の側面概略構成図である。
【図３】図１のシャワー装置を縦一列に配置した正面構成図である。
【図４】図３の側面構成図である。
【図５】シャワー装置の吐水部をボールジョイントにより角度調節可能に構成した側面概略構成図である。
【図６】シャワー装置の変形例の正面構成図である。
【図７】図６の斜視図を示し、吐水部を単独で取り外す状態を示している。
【図８】図７のシャワー装置の縦断面概略構成図である。
【図９】上吐水部の取っ手の変形例を示す上吐水部の正面概略構成図である。
【図１０】さらに異なる取っ手の変形例を示す上吐水部の正面概略構成図である。
【図１１】吐水部をプッシュ式でＯＮ，ＯＦＦできるように構成した場合の吐水部と水室部の吐水時の縦断面構成図である。
【図１２】図１１におけるプッシュ式の吐水部の止水時の縦断面構成図である。
【図１３】吐水部に設けたスラストロック機構の分解斜視図である。
【図１４】吐水時のスラストロック機構の嵌め合い状態を示す斜視構成図である。
【図１５】止水時のスラストロック機構の嵌め合い状態を示す斜視構成図である。
【符号の説明】
【００３１】
１  シャワー装置
２  操作部
２ａ  温度調節ハンドル
２ｂ  切替ハンドル
３  上吐水部
３ａ  開口
３ｂ  取っ手
３ｃ  水路軸
３ｄ  差込筒部
３ｅ  連結部
４  下吐水部
４ａ  噴出孔
４ｂ  水路軸
５，８  回転軸
６  上アーム
７  上方吐水部
９  下アーム
１０  下方吐水部
１１  本体部
１２  水室部
１２ａ  差込孔
１３  レール
１４  ボールジョイント
１４ａ  受け部
１４ｂ  ボール部
１５  ストッパー
１６  ホース
１７  外周ＬＥＤランプ
１８  前面ＬＥＤランプ
１９  センサ
２０  シールパッキン
２１  遮蔽枠部
２２  弁体
２３  ゴムパッキン
２４  バネ
２５  スラストロック機構
２６  回転リング部
２７  挿入片
２７ａ  係合歯
２８  ガイド部
２９  長溝
３０  短溝
３１  係合歯
Ｒ  水室
【図１】
2009066166.tif 000003
【図２】
2009066166.tif 000004
【図３】
2009066166.tif 000005
【図４】
2009066166.tif 000006
【図５】
2009066166.tif 000007
【図６】
2009066166.tif 000008
【図７】
2009066166.tif 000009
【図８】
2009066166.tif 000010
【図９】
2009066166.tif 000011
【図１０】
2009066166.tif 000012
【図１１】
2009066166.tif 000013
【図１２】
2009066166.tif 000014
【図１３】
2009066166.tif 000015
【図１４】
2009066166.tif 000016
【図１５】
2009066166.tif 000017